(57)【要約】【課題】着用者が汗に伴う不快感を生じさせることなく着用することのできる吸収性物品を提供する。【解決手段】ハッチングで示したように、トップシート５の後身頃２側の端部である背側のサイドシート９と前身頃３側の端部である腹側のサイドシート１０、及び立体ギャザー７ａ，７ｂがエチレンビニルアルコール繊維を含む不織布にて形成されている。このエチレンビニルアルコール繊維を含む不織布は、▲１▼ポリプロピレンとポリエチレンとの合成繊維にエチレンビニルアルコール繊維を１０％以上織り込むことにより形成されたもの、▲２▼１００％のエチレンビニルアルコール繊維からなるもの、▲３▼エチレンビニルアルコール繊維にコットンを混入してなるものいずれかである。【選択図】      図１
2004180728.tif 000002
【特許請求の範囲】
【請求項１】
身体に着用し、体液を吸収する吸収性物品において、肌に触れる着用面の少なくとも一部を、エチレンビニルアルコール繊維を含む不織布にて形成したことを特徴とする吸収性物品。
【請求項２】
前記吸収性物品は、紙おむつ又はナプキンであることを特徴とする請求項１記載の吸収性物品。
【請求項３】
前記不織布は、ポリプロピレンとポリエチレンとの合成繊維に前記エチレンビニルアルコール繊維を１０％以上含むことにより形成されたことを特徴とする請求項１又は２記載の吸収性物品。
【請求項４】
前記紙おむつにおけるギャザーシート又はサイドシートの少なくともいずれか一方を、前記エチレンビニルアルコール繊維を含む不織布にて形成したことを特徴とする請求項２記載の吸収性物品。
【請求項５】
前記紙おむつにおけるギャザーシート又はサイドシートの少なくともいずれか一方を形成する不織布は、１００％のエチレンビニルアルコール繊維からなることを特徴とする請求項２記載の吸収性物品。
【請求項６】
前記不織布は、前記エチレンビニルアルコール繊維にコットンを混入してなることを特徴とする請求項１から４にいずれか記載の吸収性物品。
【発明の詳細な説明】
【０００１】
【発明の属する技術分野】
本発明は、紙おむつやナプキン等の身体に着用する吸収性物品に関する。
【０００２】
【従来の技術】
従来、紙おむつやナプキン等の身体に着用する吸収性物品においては、肌に触れる着用面が例えばポリエチレン（ＰＥ）、ポリプロピレン（ＰＰ）、ポリエチレンテレフタレート（ＰＥＴ）等からなる不織布で形成されているものが一般的に使用されている。また、肌ざわりの良さからコットンを使用した不織布等も、検討されている。
【０００３】
【発明が解決しようとする課題】
しかしながら、コットン等からなる不織布にあっては身体の表面に生じた汗を吸収する機能は高いものの、この吸収した汗を外部に発散（蒸発）させる機能が十分とはいえない。このため、従来の不織布で形成された着用面に汗が付着すると、着用面に接している肌にべとつき感が生じ、着用者に不快感を生じさせてしまう。
【０００４】
本発明は、このような従来の課題に鑑みてなされたものであり、着用者が汗に伴う不快感を生じさせることなく着用することのできる吸収性物品を提供することを目的とするものである。
【０００５】
【課題を解決するための手段】
前記課題を解決するために請求項１に係る発明にあっては、身体に着用し、体液を吸収する吸収性物品において、肌に触れる着用面の少なくとも一部を、エチレンビニルアルコール繊維を含む不織布にて形成してある。ここで、エチレンビニルアルコール繊維は、汗を吸収すると、着用者の体熱により吸収した汗を気化させ、これにより着用面が触れている肌から気化熱を奪う。したがって、着用者は着用面が触れている肌に、べとつき感が生ずることがないのみならず、気化熱を奪われることによりアイスタッチ感が生ずる。よって、汗に伴う不快感を着用者に生じさせることなく、ひんやりとした爽快感を与えることができる。
【０００６】
また、請求項２に係る発明にあっては、前記吸収性物品は、紙おむつ又はナプキンである。したがって、紙おむつ又はナプキンの着用者に、汗に伴う不快感を生じさせることなく、ひんやりとした爽快感を与えることができる。
【０００７】
また、請求項３に係る発明にあっては、前記不織布は、ポリプロピレンとポリエチレンとの合成繊維に前記エチレンビニルアルコール繊維を１０％以上含むことにより形成されている。ポリプロピレンとポリエチレンとの合成繊維にエチレンビニルアルコール繊維を１０％以上含有させることで、前記べとつき感の発生を防止し、且つ着用者にひんやりとした爽快感を与えることができる。
【０００８】
また、請求項４に係る発明にあっては、前記紙おむつにおけるギャザーシート又はサイドシートの少なくともいずれか一方を、前記エチレンビニルアルコール繊維を含む不織布にて形成してある。すなわち、紙おむつにおけるギャザーシートやサイドシートは、着用者の肌に触れる部分であることから、これらギャザーシートやサイドシートを、エチレンビニルアルコール繊維を含む不織布にて形成することにより、効率的にべとつき感の発生を防止し、且つ着用者にひんやりとした爽快感を与えることができる。
【０００９】
なお、本明細書においてサイドシートとは、着用時に肌に触れる部位となる部分の不織布を含むのみならず、例えば、吸収性物品の最外層を不織布で覆っている場合等、バックシートとフラップ部等が一体である場合には、バックシート全面を含むものとする。また、バックシートとして複数の不織布を積層している場合は、直接肌に触れる面側のシートのみならず外側の不織布層もサイドシートと称する。すなわち、本明細書におけるサイドシートとは、その一部が吸収体と積層状態にない部分を含んでいるシートを全て含むものである。勿論、吸収体の長手方向側両端の外側に位置するサイドフラップ部や吸収体の長手方向上下端の外側に位置する胴回りフラップ部を、独立した不織布にて形成した場合には、これらフラップ部のみをサイドシートと称する。
【００１０】
また、本明細書においてギャザーシートとは、立体ギャザーを形成する不織布を意味し、立体ギャザーに不透液性のＰＥフィルム等を積層する場合には、該ＰＥフィルム等を含むものではない。独立して立体ギャザーを形成する場合は、立体ギャザーのみになる。一方、立体ギャザーがトップシートと一体の不織布で形成される場合には、該トップシートもギャザーシートと称する。
【００１１】
また、請求項５に係る発明にあっては、前記紙おむつにおけるギャザーシート又はサイドシートの少なくともいずれか一方を形成する不織布は、１００％のエチレンビニルアルコール繊維からなる。前述のように、紙おむつにおけるギャザーシートやサイドシートは、着用者の肌に触れる部分であることから、これらギャザーシートやサイドシートを１００％のエチレンビニルアルコール繊維からなる不織布にて形成することにより、べとつき感の発生を確実に防止し、且つ着用者にひんやりとした爽快感を確実に与えることができる。
【００１２】
また、請求項６に係る発明にあっては、前記不織布は、前記エチレンビニルアルコール繊維にコットンを混入してなる。すなわち、コットンからなる不織布は身体の表面に生じた汗を吸収する機能は高いものの、この吸収した汗を外部に発散（蒸発）させる機能は十分とはいえない。しかし、エチレンビニルアルコール繊維が含まれていることにより、コットンが吸収した汗を気化させ、これにより着用面が触れている肌から気化熱を奪う。したがって、着用者は着用面が触れている肌に、べとつき感が生ずることがないのみならず、気化熱を奪われることによりひんやり感（アイスタッチ感）が生ずる。よって、コットンによる肌触りの良さと、ひんやり感の双方を着用者に与えることができる。
【００１３】
【発明の実施の形態】
以下、本発明の実施の形態を図に従って説明する。
【００１４】
（第１の実施の形態）
図１は、本発明の第１の実施の形態にかかる紙おむつの使用面側から見た展開状態における一部破断斜視図である。この紙おむつの全体形状は、略砂時計形状であって中央部に相対向する湾曲状の狭窄部１ａ，１ｂが設けられ、この狭窄部１ａ，１ｂの一端部側に後身頃２を有するとともに、他端部側に前身頃３を有している。この紙おむつは、少なくとも一部がポリエチレン等からなり不透液性を有する非使用面側（図において裏面側）のバックシート４と、少なくとも一部が不織布等からなり透液性を有する使用面側（図において表面側）のトップシート５、及びこれらバックシート４とトップシート５との間に配置された吸収性物品６とからなる。
【００１５】
また、後身頃２と前身頃３との間には、吸収性物品６の両側に沿って延在する立体ギャザー７ａ，７ｂが設けられている。
【００１６】
後身頃２の両端部には、基端部をバックシート４に固着された一対のファスニングテープ８ａ，８ｂが設けられている。このファスニングテープ８ａ，８ｂは、図示のように、製品状態では紙おむつの使用面側に折り重ねられ、使用時には展開されて、前身頃２の非使用面側に形成された不図示のフロントターゲットテープに貼着される。この貼着は、ファスニングテープ８ａ，８ｂとフロントターゲットテープ間のメカニカルフィニング機構や、ファスニングテープ８ａ，８ｂに塗布した粘着剤等による。
【００１７】
そして、本実施の形態においては、ハッチングで示したように、前記トップシート５の後身頃２側の端部である背側のサイドシート９と、前身頃３側の端部である腹側のサイドシート１０、及び立体ギャザー７ａ，７ｂがエチレンビニルアルコール繊維を含む不織布Ｅにて形成されている。このエチレンビニルアルコール繊維を含む不織布Ｅは、▲１▼ポリプロピレンとポリエチレンとの合成繊維にエチレンビニルアルコール繊維を１０％以上織り込むことにより形成されたもの、▲２▼１００％のエチレンビニルアルコール繊維からなるもの、▲３▼エチレンビニルアルコール繊維にコットンを混入してなるものいずれかである。
【００１８】
なお、図において１１ａ，１１ｂは、バックシート４とトップシート５との間に配置され発泡ウレタンなどからなり通気性を有する弾性伸縮テープである。
【００１９】
以上の構成にかかる第１の実施の形態において、紙おむつを身体に装着するに際しては、ファスニングテープ８ａ，８ｂを展開状態にし、紙おむつが収縮している場合にはこれを伸ばし、後身頃２を身体の背下部に宛う。しかる後に、前身頃３を身体の腹側に折り返してファスニングテープ８ａ，８ｂの両端部を、フロントターゲットテープ（図示せず）上に押し付けることにより装着を完了する。
【００２０】
係る装着状態においては、背側のサイドシート９は着用者の背中から脇腹の肌に、腹側のサイドシート１０は着用者の前腹から脇腹の肌に、立体ギャザー７ａ，７ｂは着用者の足の付け根付近に各々触れる。しかし、これら着用者の各部の肌に触れる背側のサイドシート９、腹側のサイドシート１０及び立体ギャザー７ａ，７ｂは前記▲１▼〜▲３▼のいずれかのエチレンビニルアルコール繊維を含む不織布Ｅにて形成されている。エチレンビニルアルコール繊維は、汗を吸収すると、着用者の体熱により吸収した汗を気化させ、これにより着用面が触れている肌から気化熱を奪う。したがって、着用者は背側のサイドシート９、腹側のサイドシート１０及び立体ギャザー７ａ，７ｂが触れている背中、腹、足の付け根付近の肌に、べとつき感が生ずることがないのみならず、気化熱を奪われることによりひんやり感が生ずる。よって、汗に伴う不快感を着用者に生じさせることがなく、ひんやりとした爽快感を与えることができる。
【００２１】
特に、背側のサイドシート９、腹側のサイドシート１０及び立体ギャザー７ａ，７ｂが、▲２▼１００％のエチレンビニルアルコール繊維からなる不織布である場合には、べとつき感の発生を確実に防止し、且つ着用者にひんやりとした爽快感を確実に与えることができる。
【００２２】
また、背側のサイドシート９、腹側のサイドシート１０及び立体ギャザー７ａ，７ｂが、▲３▼エチレンビニルアルコール繊維にコットンを混入してなる不織布である場合には、コットンによる肌触りの良さと、ひんやり感の双方を着用者に与えることができる。
【００２３】
（第２の実施の形態）
図２は、本発明の第２の実施の形態を示すものであり、本実施の形態は本発明のをパンツ型の紙おむつに適用したものである。すなわち、パンツ型紙おむつには、後身頃２１と前身頃２２との両脇縁部を接合部２３ａ，２３ｂで接合することにより、胴開口部２４及び左右一対の脚開口部２５ａ，２５ｂが形成されている。胴開口部２４の周部には、腰回りのフィット性を高めるために複数本の腰回り伸縮部材２６が全周に亙って埋設されており、脚開口部２５ａ，２５ｂの縁部にはクロッチ２７が全周に亙って形成されている。
【００２４】
そして、本実施の形態においては、伸縮部材２６が埋設された胴回り部２８の内側面、及びこの胴回り部２８の下部であって鎖線で示したサイドシート部２９の内側面、及びクロッチ２７ａ、２７ｂがエチレンビニルアルコール繊維を含む不織布Ｅにて形成されている。このエチレンビニルアルコール繊維を含む不織布は、前述と同様に、▲１▼ポリプロピレンとポリエチレンとの合成繊維にエチレンビニルアルコール繊維を１０％以上織り込むことにより形成されたもの、▲２▼１００％のエチレンビニルアルコール繊維からなるもの、▲３▼エチレンビニルアルコール繊維にコットンを混入してなるものいずれかである。
【００２５】
係る本実施の形態に係るパンツ型の紙おむつを着用した状態においては、胴回り部２８の内側面及びサイドシート部２９の内側面は着用者の背中と腹とに亙る全周に、クロッチ２７ａ、２７ｂは着用者の足の付け根付近に各々触れる。しかし、これら着用者の各部の肌に触れる胴回り部２８及びサイドシート部２９の内側面と、クロッチ２７ａ、２７ｂは、前記▲１▼〜▲３▼のいずれかエチレンビニルアルコール繊維を含む不織布にて形成されている。エチレンビニルアルコール繊維は、汗を吸収すると、着用者の体熱により吸収した汗を気化させ、これにより着用面が触れている肌から気化熱を奪う。したがって、着用者は胴回り部２８及びサイドシート部２９の内側面と、クロッチ２７ａ、２７ｂが触れている背中、腹、足の付け根付近の肌に、べとつき感が生ずることがないのみならず、気化熱を奪われることによりひんやり感が生ずる。よって、着用者が汗に伴う不快感を生じさせることがないのみならず、ひんやり感により着用者に爽快感を与えることができる。
【００２６】
また前述と同様に、胴回り部２８及びサイドシート部２９の内側面と、クロッチ２７ａ、２７ｂが、▲２▼１００％のエチレンビニルアルコール繊維からなる不織布である場合には、べとつき感の発生を確実に防止し、且つ着用者にひんやりとした爽快感を確実に与えることができる。
【００２７】
また、胴回り部２８及びサイドシート部２９の内側面と、クロッチ２７ａ、２７ｂが、▲３▼エチレンビニルアルコール繊維にコットンを混入してなる不織布である場合には、コットンによる肌触りの良さと、ひんやり感の双方を着用者に与えることができる。
【００２８】
なお、本実施の形態においては、本発明を紙おむつに適用した場合を示したが、紙おむつに限ることなくナプキン、パッド等の身体に着用する吸収性物品であれば、本発明を適用して同様の作用効果を奏することができる。
【００２９】
【発明の効果】
以上説明したように本発明によれば、着用者の着用面が触れている肌に、べとつき感を生ずることを解消することができるとともに、気化熱を奪われることによりひんやり感を生じさせることができる。よって、着用者に汗に伴う不快感を生じさせることを解消し、ムレ、カブレを防止することができ、且つひんやりとした爽快感を与えることができる。
【００３０】
また、１００％のエチレンビニルアルコール繊維からなる不織布を用いることにより、べとつき感の発生を確実に防止し、且つ着用者にひんやりとした爽快感を確実に与えることができる。また、エチレンビニルアルコール繊維にコットンを混入してなる不織布を用いることにより、ムレ、カブレを防止しつつ、コットンによる肌触りの良さと、ひんやり感の双方を着用者に与えることができる。
【図面の簡単な説明】
【図１】本発明の第１の実施の形態にかかる紙おむつの使用面側から見た展開状態における一部破斜視図である。
【図２】本発明の第２の実施の形態にかかる紙おむつの斜視図である。
【符号の説明】
１    狭窄部
２    後身頃
３    前身頃
７    立体ギャザー
９    サイドシート
１０    サイドシート
２１    後身頃
２２    前身頃
２３    接合部
２４    胴開口部
２５    脚開口部
２６    伸縮部材
２７    クロッチ
２８    胴回り部
２９    サイドシート部
【図１】
2004180728.tif 000003
【図２】
2004180728.tif 000004